(57)【特許請求の範囲】
【請求項１】
前面を開口したケース本体に、当該ケース本体の開口部を塞ぐ扉が、ケース本体を密閉した後退状態から手前側に引き出すとケース本体の間口方向に沿ってスライド自在となるようにガイド手段を介して取付けられており、
前記扉は、移動規制手段により、閉止位置において後退させた密閉状態では左右スライド不能に保持され、手前側に引き出してスライドさせた状態では後退動不能に保持されている、
という展示ケースであって、
前記扉は、前記ガイド手段によってケース本体の奥行き方向に移動するように支持されていると共に、開いた状態で閉止位置までスライドさせると自動的に後退動するように付勢手段又は自重によって後退方向に付勢されている一方、
前記移動規制手段は、前記扉における上下両端部のうちいずれか一方又は両方の左右適宜部位に後ろ向き突設した係合突起と、前記ケース本体のうち前記係合突起と同じ高さ位置に設けた左右長手の規制ガイド体とから成っており、規制ガイド体に、扉が閉止位置にくると前記係合突起に嵌合する平面視前向き凹状の係合溝を形成している、
展示ケース。
【請求項２】
前面を開口したケース本体に、当該ケース本体の開口部を塞ぐ扉が、ケース本体を密閉した後退状態から手前側に引き出すとケース本体の間口方向に沿ってスライド自在となるようにガイド手段を介して取付けられており、
前記扉は、移動規制手段により、閉止位置において後退させた密閉状態では左右スライド不能に保持され、手前側に引き出してスライドさせた状態では後退動不能に保持されている、
という展示ケースであって、
前記扉はケース本体の前面からはみ出ており、この扉を、その上部を中心にして前後方向に回動可能でかつ手前側に回動させて引き出すと左右スライドさせ得るようにケース本体に取付けており、このため、開いた状態の扉を閉止位置までスライドさせると扉は自重で後退するようになっている一方、
前記移動規制手段は、扉の下端部に設けた係合体と、前記ケース本体のうち前記係合体と同じ高さ位置に設けた左右長手の規制ガイド体とから成っており、規制ガイド体に、扉が閉止位置にくると前記係合体と嵌合する平面視前向き凹状の係合溝を形成している、
展示ケース。
【発明の詳細な説明】
【０００１】
【発明の属する技術分野】
本発明は、主として美術品や博物、考古品などの文物類を展示・陳列するために使用される展示ケース（展示装置）に関するものである。
【０００２】
【従来の技術】
この種の展示ケースは、内部を展示空間として前面を開口したケース本体と、ケース本体の開口面を塞ぐ扉とを備えており、扉は、展示物の視認性を損なうことなく防護機能を発揮するため、一般に、透明度と強度に優れたガラス板で構成されている。
【０００３】
そして、ケース本体に展示物を出し入れできるようにしたり、照明装置や湿度調節具等の装置類をメンテナンスできるようにするため、扉を開閉できるようにしている。
【０００４】
この場合、扉は、ケース本体の奥行き方向に沿って前後動自在でかつ、ケース本体の間口方向に沿って左右スライド自在となるようにケース本体に取付けられており、閉止位置において後退させるとケース本体が密閉され、手前側に引き出すと左右スライドさせてケース本体を空けることができる（特開平１０−２６２７８３号公報、特開平１１−１３１８９５号公報等参照）。
【０００５】
開いた扉を閉じる場合、扉を閉止位置までスライドさせてから後退させることになるが、扉とケース本体との干渉を防止したり、隣合った扉との干渉を防止したりするため、扉を閉止位置に正確に位置決めする必要がある。
【０００６】
この扉を閉止位置に位置決めする手段として従来は、人が扉の位置を確認しながら手作業で位置決めしたり、或いは、特開平１１−１３１８９５号公報に記載されているように、モータ等の動力で駆動される位置決め規制手段を設けたりしている。
【０００７】
【発明が解決しようとする課題】
閉止位置での位置決め手段のうち、人が扉の位置を確認しながら位置決めする方法は、扉装置の構造が複雑になるのを回避できる利点はあるが、作業能率や正確さに欠けるという欠点があった。
【０００８】
他方、動力駆動式の位置規制手段で位置決めするのは、正確さや能率の点では優れているが、扉装置の構造が著しく複雑化するという点や、位置規制手段を設けるためにスペースが必要であることから適用対象が限られるという点に問題があった。
【０００９】
本発明は、このような現状に鑑みなされたもので、簡単な構造でありながら、扉を閉止位置に能率良く簡単に位置決めできるようにすることを目的とするものである。
【００１０】
【課題を解決するための手段】
前記の目的は請求項１，２の発明によって達成することができる。
【００１１】
両請求項の発明とも、「前面を開口したケース本体に、当該ケース本体の開口部を塞ぐ扉が、ケース本体を密閉した後退状態から手前側に引き出すとケース本体の間口方向に沿ってスライド自在となるようにガイド手段を介して取付けられており、前記扉は、移動規制手段により、閉止位置において後退させた密閉状態では左右スライド不能に保持され、手前側に引き出してスライドさせた状態では後退動不能に保持されている」、という基本構成を含んでいる。
【００１２】
【００１３】
そして、請求項１の発明では、前記基本構成に加えて、前記扉は、前記ガイド手段によってケース本体の奥行き方向に移動するように支持されていると共に、開いた状態で閉止位置までスライドさせると自動的に後退動するように付勢手段又は自重によって後退方向に付勢されている一方、前記移動規制手段は、前記扉における上下両端部のうちいずれか一方又は両方の左右適宜部位に後ろ向き突設した係合突起と、前記ケース本体のうち前記係合突起と同じ高さ位置に設けた左右長手の規制ガイド体とから成っており、規制ガイド体に、扉が閉止位置にくると前記係合突起に嵌合する平面視前向き凹状の係合溝を形成している。
【００１４】
請求項２の発明では、前記基本構成に加えて、前記扉はケース本体の前面からはみ出ており、この扉を、その上部を中心にして前後方向に回動可能でかつ手前側に回動させて引き出すと左右スライドさせ得るようにケース本体に取付けており、このため、開いた状態の扉を閉止位置までスライドさせると扉は自重で後退するようになっている。
【００１５】
更に請求項２では、前記移動規制手段は、扉の下端部に設けた係合体と、前記ケース本体のうち前記係合体と同じ高さ位置に設けた左右長手の規制ガイド体とから成っており、規制ガイド体に、扉が閉止位置にくると前記係合体と嵌合する平面視前向き凹状の係合溝を形成している。
【００１６】
【発明の作用・効果】
両請求項の発明とも、扉は後退する方向に常に付勢されているため、開いた扉を閉止位置までスライドさせると、扉は閉止位置に自動的に停止すると共に密閉状態に向けて自動的に後退する。従って、扉の閉じ操作を簡単かつ正確に行うことができる。
【００１７】
また、モータのような動力駆動式の位置規制手段は必要ないため、構造が複雑化することを回避できる。特に、請求項２のように扉を自重によって後退方向に付勢すると、ばね手段のような部材が不要となるため構造は一層簡単になる。
【００１８】
更に、構造が単純であるためスペースの制約は殆どなく、このため、各種の展示ケースに適用できる利点もある。
【００１９】
【発明の実施形態】
次に、本発明の実施形態を図面に基づいて説明する。
【００２０】
(1).第１実施形態（図１〜図10）
図１〜図１０では第１実施形態を示している。
【００２１】
この実施形態の展示ケースは、図１（Ａ）の概略斜視図に示すように、建物の壁Ｗに形成した角穴Ｗ１に取付ける方式になっており、角穴Ｗ１に嵌まり込んだ前向き開口のケース本体１と、壁面から前向きにはみ出る状態でケース本体１に取付けた一つの扉２とを備えている。
【００２２】
扉２は、図１（Ａ）に黒抜き矢印で示すようにケース本体１の奥行き方向に沿って前後動させることができると共に、手前側に引き出し切ると、白抜き矢印で示すようにケース本体１の間口方向に沿って左右方向にスライドさせることができる。
【００２３】
本実施形態では、扉２の引き出し動や左右スライドは、図１（Ｂ）に一例を示す真空吸着式のハンドル３を使用して、人が手作業で行うようにしている。
【００２４】
以下、図２以下の図面を参照して各部位の詳細を説明する。図２のうち（Ａ）は図１のII−II視断面図、（Ｂ）は（Ａ）の部分的なＢ−Ｂ視図、図３はケース本体１の内側から見た部分的な斜視図、図４は図１のIV−IV視断面図、図５は図４の V-V視底面図、図６は展示ケースの左右右中間部の斜視図、図７は扉２を引き出した状態での側断面図、図８は図６の部分的なVIII−VIII視平面図、図９は図７の部分的なIX−IX視平面図、図１０は扉２を開き切った状態でのケース本体１の端部での平断面図である。
【００２５】
なお、本明細書において、表現を簡略化するため「前後」「左右」の文言を使用するが、ケース本体１の奥行き方向を「前後方向」といい（手前側が前である）、ケース本体１の間口方向に沿った方向を「左右」という。
【００２６】
(2).ケース本体１の構造
例えば図２〜図４に示すように、ケース本体１は、縦長フレーム４と、前後長手のサイドフレーム５と、左右長手のフロントフレーム６及びリアフレーム７とを備えており、これらのフレームで基枠（骨組み）が構成されている。
【００２７】
基枠の前部のうち壁Ｗの角穴Ｗ１に対応した部位には囲い板８を固着しており、基枠は、囲い板８の箇所においてスペーサ９を介して壁Ｗにアンカー１０で固定されている。
【００２８】
図２や図４に示すように、下部フロントフレーム６の左右両端寄り部位の上面と、上部フロントフレーム６の左右両端寄り部位の下面には、左右一対の固定ブロック１１がそれぞれブラケット板１２を介してボルトで固定されている。なお、固定ブロック１１は３個以上設けても良い。
【００２９】
各固定ブロック１１には、前後方向に延びる摺動軸（支持軸）１３が前後摺動自在に嵌め入れられており、左右摺動軸１３の前端には、ケース本体１の開口部の略全長にわたって延びる支持フレーム１４を固着している。固定ブロック１１と摺動軸１３とにより、扉２を前後動自在に支持する前後動ガイド手段が構成されている。
【００３０】
摺動軸１３の後端には、当該摺動軸１３の前進位置を規制するためのフランジ１５がねじ止め等によって固定されている。そして、図４及び図５に示すように、請求項に記載した付勢手段の一例として、ケース本体１の上部に配置した摺動軸１３のフランジ１５とリアフレーム７との間に、２本ずつの引っ張りばね１６を装架している。
【００３１】
例えば図２に示すように、摺動軸１３の前面には、前後方向に延びる軸線回りに回転自在な支持ローラ１７を左右適宜間隔で多数取付けている。
【００３２】
ケース本体１の内面は、化粧性を備えた底板１９と天井板２０と左右内側板２１と背板２２で構成されている。底板１９は、展示物を支持する強度が必要であるため、図２に示すように、サイドフレーム５に固着した受け部材２３で支持されている。言うまでもないが、固定ブロック１１は底板１９及び天井板２０で覆われている。
【００３３】
図２や図３に示すように、左右内側板２１と底板２０との前端面にはゴム等の軟質材からなるパッキン２４を固定している。他方、図４に示すように、上部固定ブロック１１に固定したかまち部材２５の前面にはマグネット２６を固定している（かまち部材２５には、マグネット２６に代えてパッキン２４を取付けても良いし、両者を併設してもよい）。
【００３４】
天井板２０は上部の固定ブロック１１にねじ２７で固定されており、従って、メンテナンス等に際しては天井板２０を簡単に取り外することができる。なお、ケース本体１の内部に、蛍光灯方式やスポットライト方式等の照明装置を設けることも可能である。
【００３５】
囲い板８は壁Ｗの前面から突出する状態まで延びており、囲い板８の前端縁８ａが化粧壁板２８の端面に重なっている。
【００３６】
(3).扉２の構造
扉２は、５枚の透明なガラス板で後ろ向き開口の升状に形成された扉本体２９を備えており、扉本体２９の後端縁には、その全周にわたって延びる鋼板製の補強枠３０が接着剤３１で固着されている。補強枠３０の後面が前記パッキン２４やマグネット２６に当たることにより、扉２の後退位置が規制されている。
【００３７】
上下の補強枠３０には、扉本体２９の外側に延びる張り出し部３０ａを形成しており、張り出し部３０ａの裏面に、各パイプ製のスペーサ３１を介して支持レール３２が固定されている。支持レール３２には、前記支持ローラ１７の群が転動自在で前後抜け不能に嵌まる蟻溝３３が形成されている。
【００３８】
支持ローラ１７の群と支持レール３２とは、扉２をケース本体１の間口方向にスライドさせるための左右動ガイド手段の一例であり、扉２をケース本体１の手前側に引き出し切ると、左右いずれの方向にも自在にスライドさせることができる。
【００３９】
(4).移動規制手段
扉２における上下補強枠３０の張り出し部３０ａには、それぞれケース本体１の方向に向けて延びる水平片３０ｂを折曲げ形成している。
【００４０】
そして、図６，図８、図９から容易に理解できるように、移動規制手段の一環として、下部に位置した補強枠３０における水平片３０ｂの左右中間部の上面に、平面視略矩形で後ろ向きに突出した係合突起３４をねじ止めやリベット止め、或いは溶接等によって固着している。
【００４１】
係合突起３４のうち先端側（自由端側）の略半分程度は、平面視でごく緩いテーパ角で先窄まりになっており、基端側側の略半分程度は平面視でストレート状になっている。
【００４２】
他方、ケース本体１におけるフロントフレーム６の前面には、規制手段の一環として、前記補強枠３０の水平片３０ｂに上方から重なる側面視逆Ｌ字状の規制ガイド体３５を溶接等によって固着し、この規制ガイド体３５の左右中間部に、前記係合突起３４が嵌合する平面視前向き凹状の係合溝３６を形成している。係合溝３６の左右内側面は、奥部が巾狭となるようにごく緩い角度のテーパになっている。
【００４３】
また、係合溝３６の開口縁は円弧状に面取りしている（係合突起３４の嵌脱をスムースに行うためである）。係合突起３４と係合溝３６との嵌合深さ寸法は、扉２の前後動ストロークよりも僅かの寸法だけ小さい寸法に設定している。
【００４４】
図２に概略を示すように、下部に位置した囲い板８における前端部の内面の左右適宜部位に、扉２をロックするための錠３７を取付けている。錠３７は、化粧壁Ｗの前面に開口したキー穴と、キーの操作によって上向きに突出動する閂杆とを備えており、下部に位置した補強枠３０の水平片３０ｂには、錠３７の閂杆が嵌脱する溝穴（図示せず）を形成している。錠３７は、上部の囲い板８の先端部８ａに設けても良い。
【００４５】
なお、補強枠３０の水平片３０ｂと規制ガイド体３５との重なり関係は上下逆でも良い。また、図７に一点差線で示すように、上部の補強枠３０に係合突起３４を設けることも可能である。更に、扉２に規制ガイド体３５を設けて、ケース本体１に係合突起３４を設けることも可能である。
【００４６】
(5).扉２の開閉
扉２でケース本体１を密閉した状態では、係合溝３６に係合突起３４が嵌合しており、このため、扉２は左右動不能の状態に正確に位置決めされている。
【００４７】
そして、扉２を手前に引き出し切ると、図９に示すように、係合突起３４を規制ガイド体３５の前端面に当てた状態で左右スライドさせることができる。
【００４８】
扉２は引っ張りばね１６で後退方向に付勢されているため、開いた扉２を閉止位置までスライドさせると、係合突起３４が係合溝３６に嵌まり込むことにより、扉２は自動的に後退動して密閉状態になる。この場合、係合突起３４の先端部と係合溝３６とがテーパ状であるため、係合突起３４が係合溝３６にスムースに誘い込まれる。
【００４９】
引っ張りばね１６による扉２の引き込み態様としては、摺動軸１３を引っ張りばね１６で常に強く引っ張っておくことにより、扉２が密閉状態に強制的に引き込まれるように設定しても良いし、摺動軸１３を後退させた状態では引っ張りばね１６の引っ張り力が殆ど又は全く作用しないように設定しておくことにより、扉２が閉止位置にくると係合突起３４が係合溝３６に途中まで嵌まり込むように設定しておいても良い。
【００５０】
前者の態様の場合、引っ張りばね１６によって扉２を後退状態に保持できる利点がある。後者の場合は、扉２が自動的に位置決めされてから、人手で扉２を押して後退させ切ることになるが、扉２が後退してケース本体１に当たるときの衝撃を無くせる利点がある。後者の場合は、扉２は、マグネット２６によって後退状態に保持される。
【００５１】
扉２は壁面から手前側にはみ出ているため、図６に黒抜き矢印で示すように、扉２には、その自重により、下部をケース本体１に向けて押圧するようなモーメントが作用している。
【００５２】
従って、引っ張りばね１６を設けなくても、扉２を開いた状態では、当該扉２の係合突起３４はケース本体１の規制ガイド体３５に強く当たっており、このため、扉２を閉止位置に移動させると、係合突起３４と係合溝３６に自動的に嵌まり込む。従って、本実施形態では必ずしも引っ張りばね１６は必要ない。
【００５３】
本実施形態では、扉２を手前に引き出し切った状態で係合突起３４の後端が囲い板８の前端よりも奥く側に位置するように設定している。このため、図１０に示すように、扉２を左右方向にスライドさせると、係合突起３４が左右囲い板８前端縁に当たることにより、扉２の左右移動ストロークが規制される。
【００５４】
従って、移動規制手段の一環を成す係合突起３４が扉２の開閉ストローク規制ストッパーを兼用するため、扉装置の構造がより簡単になる利点がある。
【００５５】
(6).第２実施形態（図11）
図１１に第２実施形態として示すように、ばね手段として圧縮ばね３９を使用し、これを摺動軸１３に嵌め込んでも良い。摺動軸１３にはストローク規制のためのカラー４０を嵌め入れている。
【００５６】
(7).第３実施形態（図12）
付勢手段としてはばねを使用することには限らず、図１２に第３実施形態として示すように重り４１を使用し、ワイヤー４２を介して摺動軸１３に後退方向に引っ張っても良い。符号４３はガイドプーリである。
【００５７】
(8).第４実施形態（図13）
図１３では第４実施形態を示しており、（Ａ）は縦断側面図、（Ｂ）は（Ａ）のＢ−Ｂ視一部省略平断面図である。
【００５８】
この実施形態では、扉２は第１実施形態と同様に後ろ向き開口の升状に形成されており、扉２の上部の補強枠３０に支持レール３２を一体に形成している。一方、支持フレーム１４は、その上端を中心にして手前側に回動するようにケース本体１における上部のフロントフレーム６に蝶番４４によって取付けられている（ピンで枢着してもよい）。本例では、蝶番４４が扉２を前後動させる前後動ガイド手段に相当する。
【００５９】
そして、扉２における下部の補強枠３０の左右中間部に、係合体の一例として、鼓型のローラ４５を水平回転自在に設ける一方、ケース本体１における下部のフロントフレーム６には、ローラ４５が転動自在に当たり得る板状の規制ガイド体３５を固着し、この規制ガイド体３５の左右中間部に、ローラ４５が嵌合する係合溝３６を形成している。
【００６０】
この実施形態では、（Ａ）に黒抜き矢印で示すように、扉２には、その自重により、ローラ４５を規制ガイド体３５に押し付けるようなモーメントが作用している。
【００６１】
従って、扉２を手前に回動させると、ローラ４５を規制ガイド体３５の前端に当てた状態で自在に左右スライドさせることができる。また、開いた扉２を閉止位置に移動させると、ローラ４５が係合溝３６に自動的に嵌合することにより、扉２は密閉位置に自動的に後退動する。
【００６２】
係合体としては必ずしもローラ４５を使用する必要はなく、摩擦係数が小さくで耐摩耗性の高い素材からなる突起（スライダー）を使用しても良い。また、扉２に規制ガイド体３５を設けて、ケース本体１にローラ４５等の係合体を設けることも可能である。
【００６３】
(9).第５実施形態（図14）
図１４では、第４実施形態の変形例である第５実施形態を示している。
【００６４】
この実施形態では、扉２の左右中間部に係合体としてのローラ４５を設ける一方、ケース本体１における規制ガイド体３５の中間部には主係合溝３６を、左右両端寄り部位にはストッパー用係合溝３６ａをそれぞれ形成している。この実施形態では、ローラ４５をストッパー用係合溝３６ａに嵌合させることにより、扉２を大きく開くことができる。
【００６５】
(10)．第６実施形態（図15〜図16）
図１５〜図１６では、カウンター状の展示台４６に載置する方式の展示ケースに適用した例を示している（台や脚をケース本体１に一体に設けても良い）。図１５は全体の概略斜視図、図１６は移動規制手段を概略平面図である。
【００６６】
この実施形態では、ケース本体２の開口部に２枚の扉２が平面視で直線状に延びるように配置されており、各扉２は、それぞれ自在に前後動させることができると共に、手前側に引き出した状態で左右スライドさせることができる。
【００６７】
そして、左右扉２の互いに隣合った端部に、第１実施形態と同様の係合突起３４を設け、規制ガイド体３５の中間寄り部位に係合溝３６を形成している。
【００６８】
この実施形態では、係合突起３４がケース本体１の側端部に当てることによって扉２の開き位置が規制されるが、係合突起３４をケース本体１の中間寄りの部位に偏らせているため、左右の扉２を互いに逆向きに移動させると、ケース本体１を大きく開口させることができる。
【００６９】
(11)．  その他
本願発明は、上記の実施形態の他にも更に様々に具体化することができる。
【００７０】
【００７１】
例えば、扉を前後動自在に支持したり左右スライド自在に支持するガイド手段は、実施形態とは異なる様々の機構を採用することができる。また、扉の前後移動や左右移動をモータ等の動力で行うことも可能である。
【００７２】
更に、本願発明は、建物の床に単独で設置するタイプの展示ケースや建物に一体に作り付ける展示ケースなど、様々の展示ケースに適用することができる。また、開口部の大きさや位置は必要に応じて自由に設定することができ、例えば床に設置する展示ケースの場合、ケース本体の全周を開口させて各開口部にそれぞれ扉を設けても良い。
【図面の簡単な説明】
【図１】（Ａ）は第１実施形態に係る展示ケースの概略斜視図、 （Ｂ）はハンドルの斜視図である。
【図２】（Ａ）は図１のII−II視断面図、（Ｂ）は（Ａ）の部分的なＢ−Ｂ視図である。
【図３】ケース本体を内側から見た部分的な斜視図である。
【図４】図１のIV−IV視断面図である。
【図５】図４の V-V視底面図である。
【図６】展示ケースの左右右中間部の斜視図である。
【図７】扉を引き出した状態での側断面図である。
【図８】図６の部分的なVIII−VIII視平面図である。
【図９】図７の部分的なIX−IX視平面図である。
【図10】扉を開き切った状態でのケース本体の端部での平断面図である。
【図11】第２実施形態を示す図である。
【図12】第３実施形態を示す図である。
【図13】第４実施形態を示す図である。
【図14】第５実施形態を示す図である。
【図15】第６実施形態の斜視図である。
【図16】第６実施形態における移動規制手段の概略平面図である。
【符号の簡単な説明】
Ｗ  壁
１  ケース本体
２  扉
６  フロントフレーム
１１  前後動ガイド手段の一環を成す固定ブロック
１３  前後動ガイド手段の一環を成す摺動軸
１４  支持フレーム
１６  引っ張りばね
１７  支持ローラ
２９  ガラス板製の扉本体
３０  補強枠
３２  支持レール
３４  係合突起
３５  規制ガイド体
３６  係合溝
【図１】
0003837030.tif 000002
【図２】
0003837030.tif 000003
【図３】
0003837030.tif 000004
【図４】
0003837030.tif 000005
【図５】
0003837030.tif 000006
【図６】
0003837030.tif 000007
【図７】
0003837030.tif 000008
【図８】
0003837030.tif 000009
【図９】
0003837030.tif 000010
【図１０】
0003837030.tif 000011
【図１１】
0003837030.tif 000012
【図１２】
0003837030.tif 000013
【図１３】
0003837030.tif 000014
【図１４】
0003837030.tif 000015
【図１５】
0003837030.tif 000016
【図１６】
0003837030.tif 000017